(57)【要約】  【課題】  搬送ムラにより画像が歪むこともない原稿搬送装置を提供する。  【解決手段】  原稿読み取り手段５へ原稿１を給紙する給紙ローラ３と、給紙ローラ３の周速より早い周速で回転しながら、原稿読み取り手段５により読み取られた原稿１を搬出する搬送ローラ６と、ワンウエイクラッチよりなるクラッチ手段１２を介して給紙ローラ３を駆動する駆動系７と、駆動系７の動力をクラッチ手段１２へ伝達する動力伝達手段１０と、原稿読み取り手段５により読み取られた原稿１の先端が搬送ローラ６に達した際、搬送ローラ６による原稿への引張り力で動力伝達手段１０を遮断する切り換え手段１３とから構成したもので、給紙ローラ３と搬送ローラ６の搬送速度差を最小限にできるため、読み取りムラによる画像の歪みを最小限に抑制することができる。【選択図】  図３
2005272130.tif 000002
【特許請求の範囲】
【請求項１】
原稿読み取り手段の上流側に設置され、かつ前記原稿読み取り手段へ原稿を給紙する給紙ローラと、前記原稿読み取り手段の下流側に設置され、かつ前記給紙ローラの周速より早い周速で回転しながら、前記原稿読み取り手段により読み取られた原稿を搬出する搬送ローラと、ワンウエイクラッチよりなるクラッチ手段を介して前記給紙ローラを駆動する駆動系とを備えた原稿搬送装置であって、前記駆動系と前記クラッチ手段の間に設けられ、前記駆動系の動力を前記クラッチ手段へ伝達する動力伝達手段と、前記動力伝達手段に設けられ、前記原稿読み取り手段により読み取られた前記原稿の先端が前記搬送ローラに達した際、前記動力伝達手段を遮断する切り換え手段とを具備したことを特徴とする原稿搬送装置。
【請求項２】
原稿読み取り手段の上流側に設置され、かつ前記原稿読み取り手段へ原稿を給紙する給紙ローラと、前記原稿読み取り手段の下流側に設置され、かつ前記給紙ローラの周速より早い周速で回転しながら、前記原稿読み取り手段により読み取られた原稿を搬出する搬送ローラと、ワンウエイクラッチよりなるクラッチ手段を介して前記給紙ローラを駆動する駆動系とを備えた原稿搬送装置であって、前記駆動系と前記クラッチ手段の間に設けられ、前記駆動系の動力を前記クラッチ手段へ伝達する動力伝達手段と、前記動力伝達手段に設けられ、前記原稿読み取り手段により読み取られた前記原稿の先端が前記搬送ローラに達した際、前記動力伝達手段を遮断し、前記原稿が前記搬送ローラを通過した後前記駆動系を逆転させることにより前記動力伝達手段を接続する切り換え手段とを具備したことを特徴とする原稿搬送装置。
【請求項３】
前記駆動系により回転される太陽ギヤと、前記太陽ギヤの回転中心を中心に揺動自在な遊星アームと、前記揺動アームに回転自在に支承され、前記遊星アームの揺動に伴い給紙ローラ用ギヤに選択的に噛合して、前記太陽ギヤの回転を前記クラッチ手段へ伝達する複数の遊星ギヤとからなる遊星ギヤ機構により前記動力伝達手段を構成してなる請求項１または２に記載の原稿搬送装置。
【請求項４】
前記切り換え手段を、前記クラッチ手段のクラッチハウジング外周に突設された切り換えカムと、前記遊星アームより突設され、かつ前記切り換えカムと接離することにより前記遊星アームを揺動させる切り換えレバーとから構成してなる請求項３に記載の原稿搬送装置。
【発明の詳細な説明】
【技術分野】
【０００１】
本発明は、ファクシミリ装置や複写機（以下ファクシミリ装置等という）の原稿搬送装置に関する。
【背景技術】
【０００２】
従来、ファクシミリ装置等には、原稿を送信したり、複写するため、原稿を光学的に読み取る原稿読み取り手段が設けられている。
【０００３】
また複数枚の原稿を連続的に送信したり、複写するため、原稿トレイ上の原稿を原稿読み取り手段へと搬送する原稿搬送装置が原稿読み取り手段の近傍に設置されている。
【０００４】
従来の原稿搬送装置は、例えば図８に示すように原稿読み取り手段ａの上流側に給紙ローラｂと読み取りローラｃが、そして下流側に搬送ローラｄが設けられていて、給紙ローラｂにより連続的に給紙された原稿ｅは、読み取りローラｃにより原稿読み取り手段ａへと送られるようになっており、読み取り手段ａにより読み取られた原稿ｅは、原稿読み取り手段ａの下流側に設置された搬送ローラｄにより搬出されるようになっている。
【０００５】
一方前記構成された従来の原稿搬送装置では、給紙ローラｂにより連続的に給紙された原稿ｅの端部が互いに重なることがないよう給紙ローラｂの搬送速度（周速）に対して読み取りローラｃの搬送速度（周速）を速く設定しており、これによって原稿読み取り手段ａに連続的に給紙される各原稿ｅの間には適当な隙間が形成されるため、複数枚の原稿ｅが１枚の原稿として原稿読み取り手段ａにより読み取られることにより生じる読み取り不良を防止している。
【０００６】
また給紙ローラｂの回転軸ｆは、図示しないワンウエイクラッチを介して駆動源に接続されていて、給紙ローラｂにより給紙された原稿ｅが読み取りローラｃに達して、読み取りローラｃにより原稿ｅの搬送が開始されると、読み取りローラｃより周速が遅い給紙ローラｂは、ワンウエイクラッチに滑りが生じて原稿ｅを介して読み取りローラｃの周速と同一速度で回転されるようになり、給紙ローラｂを原稿ｅが通過すると、再び駆動源によりワンウエイクラッチを介して元の周速で回転されるようなっている。
【０００７】
しかし前記従来の原稿搬送装置では、給紙ローラｂと読み取りローラｃ及び搬送ローラｄの少なくとも３本のローラが必要なため、これらローラｂ、ｃ、ｄを駆動する駆動系が複雑となる上、部品点数も多くなるため、原稿搬送装置が高価となる等の問題がある。
【０００８】
かかる問題を改善するため、２本のローラにより原稿の搬送が可能な原稿搬送装置が提案されている（例えば特許文献１）。
【０００９】
前記特許文献１に記載された原稿搬送装置は、原稿読み取り手段の前後に給紙ローラと搬送ローラを配置し、かつ両ローラを駆動するために共通の正逆回転可能なモータを設け、そのモータと給紙ローラとの間には、モータの正回転で給紙ローラが正転するようモータの回転を給紙ローラに伝達する第１伝達系と、モータの逆回転で給紙ローラが正転するようモータの回転を給紙ローラに伝達する第２伝達系と、モータから給紙ローラへの伝達系を、第１・第２伝達系の何れか一方に切り換える第１切り換え手段を設けるとともに、第２伝達系をモータの逆回転で給紙ローラを一定量だけ正転させ、その後給紙ローラを回転自在とし、さらにモータと搬送ローラの間には、モータの正回転で搬送ローラが正回転するようモータの回転を搬送ローラに伝達する第３伝達系と、モータの逆回転で搬送ローラが正回転するようモータの回転を搬送ローラに伝達する第４伝達系と、モータから搬送ローラへの伝達系を、第３・第４伝達系の何れか一方に切り換える第２切り換え手段とから構成されている。
【特許文献１】特開平８−９７９６３号公報
【発明の開示】
【発明が解決しようとする課題】
【００１０】
前記特許文献１に記載された原稿搬送装置のように、給紙ローラと搬送ローラの２本のローラよりなる従来の原稿搬送装置では、給紙ローラと搬送ローラの周速度差を通常１５％〜３０％のように大きな値に設定して、原稿の端部が互いに重なることにより発生する原稿の読み取り不良を回避している。
【００１１】
しかし給紙ローラの周速に対して搬送ローラの周速を大きな値に設定した従来の原稿搬送装置では、原稿読み取り手段により読み取り中の原稿の先端が搬送ローラに達して、搬送ローラにより原稿の搬送が開始されると、読み取り中に原稿の搬送速度が大きく変化するため読み取りムラが発生して、例えば図９の（イ）に示すような画像原稿の場合、原稿読み取り手段により読み取られた原稿像は、図９の（ロ）に示すように画像に歪みが生じてしまう問題がある。
【００１２】
また前記問題が生じないようにするためには、原稿の先端が搬送ローラに達してから原稿の読み取りを開始すればよいが、原稿読み取り手段の下流側に設置された搬送ローラと原稿読み取り手段との間には、構造上ある程度の距離が必要なことから、原稿の先端が搬送ローラに達してから原稿の読み取りを開始した場合、原稿の先端部分の画像が読み取れず欠落する等の別の問題が生じる。
【００１３】
本発明はかかる従来の問題を改善するためになされたもので、原稿先端部分の画像が欠落することがなく、かつ搬送ムラにより画像が歪むこともない原稿搬送装置を提供することを目的とするものである。
【課題を解決するための手段】
【００１４】
本発明の原稿搬送装置は、原稿読み取り手段の上流側に設置され、かつ原稿読み取り手段へ原稿を給紙する給紙ローラと、原稿読み取り手段の下流側に設置され、かつ給紙ローラの周速より早い周速で回転しながら、原稿読み取り手段により読み取られた原稿を搬出する搬送ローラと、ワンウエイクラッチよりなるクラッチ手段を介して給紙ローラを駆動する駆動系とを備えた原稿搬送装置であって、駆動系とクラッチ手段の間に設けられ、駆動系の動力をクラッチ手段へ伝達する動力伝達手段と、動力伝達手段に設けられ、原稿読み取り手段により読み取られた原稿の先端が搬送ローラに達した際、動力伝達手段を遮断する切り換え手段とから構成したものである。
【００１５】
前記構成により、原稿読み取り手段により読み取られた原稿の先端が搬送ローラに達した際、当該原稿の搬送ローラによる引張り力で、動力伝達手段を遮断することができて、給紙ローラと搬送ローラとの搬送速度差を最小限にしても、給紙ローラを一時停止することにより先行原稿の後端と後続原稿の先端が互いに重なるのを防止することができるため、読み取り不良が発生することがないと共に、給紙ローラと搬送ローラの搬送速度差を最小限にすることにより、取り中の原稿の搬送速度の変化を最小限に抑えられるため、読み取りムラによる画像の歪みを最小限に抑制することができる。
【００１６】
また原稿の先端が搬送ローラに達する前から原稿の読み取りが開始できることから、原稿先端部分の画像が読み取れずに欠落することがないと共に、給紙ローラと搬送ローラの２本のローラで原稿搬送装置を構成できるため、部品点数の削減や組み立てコストの削減等により原稿搬送装置が安価に提供できるようになる。
【００１７】
本発明の原稿搬送装置は、原稿読み取り手段の上流側に設置され、かつ原稿読み取り手段へ原稿を給紙する給紙ローラと、原稿読み取り手段の下流側に設置され、かつ給紙ローラの周速より早い周速で回転しながら、原稿読み取り手段により読み取られた原稿を搬出する搬送ローラと、ワンウエイクラッチよりなるクラッチ手段を介して給紙ローラを駆動する駆動系とを備えた原稿搬送装置であって、駆動系と前記クラッチ手段の間に設けられ、駆動系の動力をクラッチ手段へ伝達する動力伝達手段と、動力伝達手段に設けられ、原稿読み取り手段により読み取られた原稿の先端が搬送ローラに達した際、動力伝達手段を遮断し、原稿が搬送ローラを通過した後駆動系を逆転させることにより動力伝達手段を接続する切り換え手段とから構成したものである。
【００１８】
前記構成により、原稿が搬送ローラを通過した後給紙ローラが回転して給紙を再開することから、先行原稿と後続原稿の間に必要十分な間隔を確保でき、これによって先行原稿の後端と後続原稿の先端が互いに重なることがないため、読み取り不良が発生するのを確実に防止することができる。
【００１９】
また駆動系を正逆回転制御するだけで、給紙ローラによる給紙を停止したり再開することができるため、安価な制御手段で給紙タイミングを確実に制御することができる。
【００２０】
本発明の原稿搬送装置は、駆動系により回転される太陽ギヤと、太陽ギヤの回転中心を中心に揺動自在な遊星アームと、揺動アームに回転自在に支承され、遊星アームの揺動に伴い給紙ローラ用ギヤに選択的に噛合して、太陽ギヤの回転をクラッチ手段へ伝達する複数の遊星ギヤとからなる遊星ギヤ機構により動力伝達手段を構成したものである。
【００２１】
前記構成により、遊星ギヤ機構よりなる動力伝達手段により駆動系の回転を確実に給紙ローラへ伝達することができるため、原稿搬送装置の信頼性が向上すると共に、遊星ギヤ機構よりなる動力伝達手段は、特許文献１に記載された多数の伝達系よりなる動力伝達手段に比べて構造が簡単なため、安価に得られるようになる。
【００２２】
本発明の原稿搬送装置は、切り換え手段を、クラッチ手段のクラッチハウジング外周に突設された切り換えカムと、遊星アームより突設され、かつ切り換えカムと接離することにより遊星アームを揺動させる切り換えレバーとから構成したものである。
【００２３】
前記構成により、クラッチ手段を利用して切り換え手段の切り換えが容易かつ確実に行える。
【発明の効果】
【００２４】
本発明の原稿搬送装置によれば、先行原稿の後端と後続原稿の先端が互いに重なることがないため、読み取り不良が発生することがない上、給紙ローラと搬送ローラの搬送速度差を最小限にすることにより、取り中の原稿の搬送速度の変化を最小限に抑えられるため、読み取りムラによる画像の歪みを最小限に抑制することができる。
【発明を実施するための最良の形態】
【００２５】
本発明の実施の形態を、図面を参照して詳述する。
【００２６】
図１は例えばファクシミリ装置に設けられた原稿搬送装置の概略構成図、図２は同側面図、図３は同分解斜視図、図４ないし図７は作用説明図である。
【００２７】
図１ないし図３に示す原稿搬送装置は、送信すべき複数の原稿１を収容する原稿トレイ２の下流側に給紙ローラ３が配置されていて、この給紙ローラ３により原稿トレイ２内の原稿１が１枚ずつ搬送路４上へ給紙されるようになっており、搬送路４上には、給紙ローラ３の下流側に原稿読み取り手段５が設置されている。
【００２８】
原稿読み取り手段５は原稿１から画像を光学的に読み取り、かつ読み取った画像を電気信号に変換して出力するもので、搬送路４上の読み取り点５ａに達した原稿１を幅方向に主走査し、かつ原稿１の搬送方向Ａへ副走査して原稿１全体を読み取るように構成されている。
【００２９】
原稿読み取り手段５の下流側には、給紙ローラ３の周速より例えば３％〜５％程度速い周速で回転される読み取りローラを兼ねた搬送ローラ６が設置されており、給紙ローラ３と搬送ローラ６は駆動系７により駆動されるようになっている。
【００３０】
駆動系７は図３に示すように、正逆回転が可能なモータよりなる回転駆動源８を有していて、回転駆動源８と給紙ローラ３の回転軸３ａとの間は遊星ギヤ機構よりなる動力伝達手段１０を介して接続されており、取り付け板１１を介して図示しないフレームに取り付けられた回転駆動源８の回転軸８ａに、動力伝達手段１０のアイドルギヤ１０ｂに噛合するピニオン１０ａが固着されている。
【００３１】
アイドルギヤ１０ｂは太陽ギヤ１０ｃに噛合されていて、回転駆動源８によりアイドルギヤ１０ｂを介して太陽ギヤ１０ｃが正逆回転されるようになっており、太陽ギヤ１０ｃに複数、例えば２個の遊星ギヤ１０ｄが常時噛合されている。
【００３２】
２個の遊星ギヤ１０ｄは、ほぼＹ字形に形成された遊星アーム１０ｅの互いに隣接するアーム部先端に回転自在に支承されており、遊星アーム１０ｅは太陽ギヤ１０ｃを中心に正逆回転方向に揺動自在となっていると共に、遊星アーム１０ｅの揺動に伴い２個の遊星ギヤ１０ｄが交互に給紙ローラ用ギヤ１０ｆに噛合して、太陽ギヤ１０ｃの回転を給紙ローラ用ギヤ１０ｆに伝達するようになっている。
【００３３】
給紙ローラ用ギヤ１０ｆは、給紙ローラ３の回転軸３ａの一端側に回転自在に支承されており、給紙ローラ用ギヤ１０ｆと回転軸３ａとの間にワンウエイクラッチよりなるクラッチ手段１２と、切り換えカム１３ａ及び切り換えレバー１３ｂよりなる切り換え手段１３が設けられている。
【００３４】
クラッチ手段１２は、クラッチハウジング１２ａを有していて、このクラッチハウジング１２ａ内にクラッチばね１２ｂが収容されており、クラッチハウジング１２ａの外周面に切り換え手段１３の切り換えカム１３ａが突設されていて、切り換えカム１３ａに遊星アーム１０ｅより突設された切り換えレバー１３ｂの先端が接離自在に当接されている。
【００３５】
クラッチハウジング１２ａの中心部を貫通するように設けられた給紙ローラ用ギヤ１０ｆの軸筒１０ｇと、軸筒１０ｇ内に回転自在に嵌挿された給紙ローラ３の回転軸３ａの間には、給紙ローラ用ギヤ１０ｆと回転軸３ａの間を一方向へのみ接続するワンウエイばね１２ｃが設けられている。
【００３６】
また回転駆動源８と搬送ローラ６の間は駆動系７により接続されていて、回転駆動源８により搬送ローラ６が一方向、すなわち原稿排出方向へ回転されるようになっている。
【００３７】
次に前記構成された原稿搬送装置の作用を図４ないし図７を参照して説明する。
【００３８】
いまファクシミリ装置により送信すべき複数枚の原稿１を原稿トレイ２上に収容して図示しない送信ボタンを押圧すると、回転駆動源８が図４に示すように反時計回り方向へ回転を開始し、これによってアイドルギヤ１０ｂを介して太陽ギヤ１０ｃが反時計回り方向へ回転するのに伴い遊星アーム１０ｅに支承された上側の遊星ギヤ１０ｄが給紙ローラ用ギヤ１０ｆと噛合して、給紙ローラ用ギヤ１０ｆを反時計回り方向へ回転させる。
【００３９】
そして給紙ローラ用ギヤ１０ｆへ伝達された回転力は、クラッチ手段１２のワンウエイばね１２ｃを介して給紙ローラ３の回転軸３ａへと伝達されるため、給紙ローラ３が反時計回り方向へ回転されて、原稿トレイ２上の原稿１の１枚が搬送路４を経て原稿読み取り手段５へと給紙される。
【００４０】
原稿読み取り手段５の読み取り点５ａに原稿１の先端が達したのを図示しない検出手段が検出すると、原稿読み取り手段５は原稿１の先端より読み取りを開始する。
【００４１】
その後原稿１の先端が搬送ローラ６に達すると、図５に示すように搬送ローラ６の周速は給紙ローラ３の周速より速い周速に予め設定されているため、搬送ローラ６により原稿１が引っ張られる。
【００４２】
これによって給紙ローラ３の周速が搬送ローラ６の周速とほぼ同一となるように加速されるため、クラッチハウジング１２ａ内に設けられたクラッチばね１２ｂの作用でクラッチハウジング１２ａが図５に示す位置まで反時計回り方向に回動される。
【００４３】
クラッチハウジング１２ａが反時計回り方向に回動されると、クラッチハウジング１２ａの外周面に設けられた切り換え手段１３の切り換えカム１３ａが遊星アーム１０ｅより突設された切り換えレバー１３ｂを押し上げるため、遊星アーム１０ｅが時計回り方向へ回動されて、遊星アーム１０ｅに支承された遊星ギヤ１０ｄが給紙ローラ用ギヤ１０ｆより離間する。
【００４４】
これによって太陽ギヤ１０ｃと給紙ローラ用ギヤ１０ｆ間の動力伝達が遮断されて給紙ローラ３が停止され、以後搬送ローラ６のみにより原稿１が搬送されて、原稿読み取り手段５による原稿１の読み取りが継続されると共に、予め搬送ローラ６の周速と給紙ローラ３の周速との差は、従来の１５％〜３０％より大幅に小さい３％〜５％の範囲に予め設定されていることから、読み取り中の原稿１の搬送速度の変化が最小限に抑えられるため、読み取りムラによる画像の歪みはほとんど生じることがない。
【００４５】
またこの間給紙ローラ３は停止していて、次の原稿１が給紙されることがないことから、読み取り中の原稿１の後端と後続原稿１の先端間に必要十分な間隔が保持される。
【００４６】
その後図６に示すように原稿１の後端が搬送ローラ６を通過したのを図示しない検出手段により検出されると、回転駆動源８が図７に示すように時計回り方向へ逆転を開始するため、アイドルギヤ１０ｂを介して太陽ギヤ１０ｃも時計回り方向へと逆転を開始し、これによって太陽ギヤ１０ｃと噛合する遊星ギヤ１０ｄが反時計回り方向へ回転される反力により遊星アーム１０ｅが時計回り方向へ回動されるため、遊星アーム１０ｅに支承された下側の遊星ギヤ１０ｄが給紙ローラ用ギヤ１０ｆに噛合して、太陽ギヤ１０ｃの回転を給紙ローラ用ギヤ１０ｆに伝達し、給紙ローラ用ギヤ１０ｆが時計回り方向へ回転を開始する。
【００４７】
そして給紙ローラ用ギヤ１０ｆの時計回り方向への回転はクラッチ手段１２のワンウエイばね１２ｃの作用によって給紙ローラ４の回転軸３ａへ伝達されることはなく、給紙ローラ３は停止状態を維持すると共に、クラッチ手段１２に設けられたクラッチばね１２ｂの作用でクラッチハウジング１２ａが図７に示す位置に回動されるため、切り換え手段１３がリセットされる。
【００４８】
その後、再び回転駆動源８が反時計回り方向に回転を開始することにより、アイドルギヤ１０ｂを介して太陽ギヤ１０ｃも反時計回り方向へと回転を開始し、これによって遊星アーム１０ｅが反時計回り方向へ回転されるため、遊星ギヤ１０ｄが給紙ローラ用ギヤ１０ｆに噛合して、太陽ギヤ１０ｃの回転を給紙ローラ用ギヤ１０ｆに伝達し、給紙ローラ用ギヤ１０ｆが反時計回り方向に回転して、次に送信する原稿１の給紙を開始する。
【００４９】
以下前記動作を繰り返すことにより、原稿トレイ２に収容された原稿１の搬送を連続的に行うもので、給紙ローラ３と搬送ローラ６の搬送速度差を最小限にしても、給紙ローラ３が一時停止されることにより先行原稿１の後端と後続原稿１の先端が重なることがないため、読み取り不良が発生することがない上、原稿１の搬送速度の変化による画像の歪みを最小限に抑制できると共に、給紙ローラ３と搬送ローラ６の２本のローラで原稿搬送装置を構成できるため、部品点数の削減や組み立てコストの削減等により原稿搬送装置が安価に提供できるようになる。
【００５０】
なお前記実施の形態では、原稿搬送装置をファクシミリ装置に適用した場合について説明したが、複写機等の原稿搬送装置にも適用できるものである。
【産業上の利用可能性】
【００５１】
本発明は、原稿搬送手段により読み取られた原稿の先端が搬送ローラに達した際、当該原稿の搬送ローラによる引張り力で、動力伝達手段を遮断することができて、給紙ローラと搬送ローラとの搬送速度差を最小限に設定しても、先行原稿の後端と後続原稿の先端が互いに重なることがないため、読み取り不良が発生することがない上、給紙ローラと搬送ローラの搬送速度差を最小限にすることにより、読み取りムラによる画像の歪みを最小限に抑制することができるため、ファクシミリ装置や複写機の原稿搬送装置に好適である。
【図面の簡単な説明】
【００５２】
【図１】本発明に係る実施の形態を例えばファクシミリ装置に採用した場合の原稿搬送装置の概略構成図
【図２】本発明に係る実施の形態を例えばファクシミリ装置に採用した場合の原稿搬送装置の側面図
【図３】本発明に係る実施の形態を例えばファクシミリ装置に採用した場合の原稿搬送装置の分解斜視図
【図４】本発明に係る実施の形態を例えばファクシミリ装置に採用した場合の原稿搬送装置の作用説明図
【図５】本発明に係る実施の形態を例えばファクシミリ装置に採用した場合の原稿搬送装置の作用説明図
【図６】本発明に係る実施の形態を例えばファクシミリ装置に採用した場合の原稿搬送装置の作用説明図
【図７】本発明に係る実施の形態を例えばファクシミリ装置に採用した場合の原稿搬送装置の作用説明図
【図８】従来における原稿搬送装置の概略構成図
【図９】（イ）及び（ロ）は、原稿読み取り手段より読み取られて作成した原稿画像を描画した図
【符号の説明】
【００５３】
１      原稿
３      給紙ローラ
５      原稿読み取り手段
６      搬送ローラ
７      駆動系
１０      動力伝達手段
１０ｃ    太陽ギヤ
１０ｄ    遊星ギヤ
１０ｅ    遊星アーム
１０ｆ    給紙ローラ用ギヤ
１２      クラッチ手段
１２ａ    クラッチハウジング
１３      切り換え手段
１３ａ    切り換えカム
１３ｂ    切り換えレバー
【図１】
2005272130.tif 000003
【図２】
2005272130.tif 000004
【図３】
2005272130.tif 000005
【図４】
2005272130.tif 000006
【図５】
2005272130.tif 000007
【図６】
2005272130.tif 000008
【図７】
2005272130.tif 000009
【図８】
2005272130.tif 000010
【図９】
2005272130.tif 000011